(57)【要約】【課題】ボルト位置調整装置において、工具を使用することなく、ボルトの位置を調整できるようにする。【解決手段】ボルト位置調整装置１０は、ベース４に一体に設けられた固定ナット５に螺合するボルト６と、ボルトに一体に設けられて、該ボルトを回転させるボルト回転部１と、固定ナット５とボルト回転部との間で、ボルトに螺合したロックナット３と、ロックナットとボルト回転部との間で、ボルトに遊嵌して、ボルトの軸方向に移動可能な回転操作部材２と、を備えている。回転部とロックナットとのいずれか一方に係合するようになっている。回転操作部材を、ボルトの軸方向に移動させて、ロックナット、ボルト回転部、ロックナットの順に係合させ、回転させることによって、ロックナットを緩め、ボルトの位置を調整し、ロックナットを締め付けるようになっている。【選択図】図１
2015027855.tif 000002
【特許請求の範囲】
【請求項１】
基体に一体に設けられた雌ねじに螺合するボルトと、
前記ボルトに一体に設けられて、該ボルトを回転させる回転部と、
前記雌ねじと前記回転部との間で、前記ボルトに螺合したロックナットと、
前記ロックナットと前記回転部との間で、前記ボルトに遊嵌して、前記ボルトの軸方向に移動可能な回転操作部材と、を備え、
前記回転操作部材は、前記ボルトの軸方向に移動して、前記回転部と前記ロックナットとのいずれか一方に係合する、
ことを特徴とするボルト位置調整装置。
【請求項２】
前記ボルトは、前記回転部の側に、ねじが形成されていない軸部を有し、
前記軸部の長さが、前記回転操作部材の軸方向長さを超えた長さである、
ことを特徴とする請求項１に記載のボルト位置調整装置。
【請求項３】
前記回転操作部材は、外周に複数の凹部を有している、
ことを特徴とする請求項１又は２に記載のボルト位置調整装置。
【請求項４】
前記ボルトにキャスタが設けられている、
ことを特徴とする請求項１乃至３のいずれか１項に記載のボルト位置調整装置。
【発明の詳細な説明】
【技術分野】
【０００１】
本発明は、ボルトの軸方向の位置を調整するボルト位置調整装置に関する。
【背景技術】
【０００２】
従来、例えば、台車は、所望の方向に自由に走行できるように複数のキャスタを備えている。この場合、キャスタが台車を支持する高さが揃っていないと、台車が円滑に走行できないことがある。
【０００３】
そこで、キャスタが台車を支持する高さを調整する高さ調整機構が特許文献１に開示されている。この高さ調整機構は、ボルトを回転させて台車を支持する高さを調整しており、ボルトの軸方向の位置を調整する装置（ボルト位置調整装置）である。
【０００４】
また、ボルト位置調整装置として、図７に示すものがある。図７に示すボルト位置調整装置８００は、基体としてのベース８１０に固定された固定ナット８１１にボルト８０９が螺合し、そのボルト８０９にロックナット８１２が螺合している。そして、ボルト８０９の下部には、ボルト８０９と一体にボルト回転部８１３が設けられている。また、ボルト８０９の下部には、キャスタ８１５と一体のキャスタ軸８１４がキャスタ８１５の向きを自由に変えられるように接続されている。
【０００５】
ボルト８０９の高さ位置を調整する場合、まず、ユーザは、スパナＳＰで、ロックナット８１２を回転させて、ロックナット８１２を固定ナット８１１から離間する方向に移動させる。その後、ユーザは、スパナＳＰでボルト回転部８１３を回転させる。すると、ボルト８０９は、固定ナット８１１に対して回転しながら上下方向に移動する。
【０００６】
このとき、ボルト８０９は、キャスタ８１５と一体に上下方向に移動して、ベース８１０に対しての位置が変わり、キャスタ８１５が走行する床に対するベース８１０の高さが変わる。ユーザは、ベース８１０を所望の高さ位置になるまで、ボルト回転部８１３を回転させる。ベース８１０が所望の高さになった時点で、ボルト８０９が回転しないようにして、ロックナット８１２を回転させて、固定ナット８１１とロックナット８１２とで、ボルト８０９をベース８１０に固定する。
【０００７】
この結果、ボルト８０９の上下方向（軸方向）の位置を調節することによって、キャスタ８１５の高さ位置を調整することができる。
【０００８】
なお、ボルト位置調整装置は、キャスタの代わりに、床に載置される座をボルト８０９の下端に設けて、ベース８１０を机のフレームとし、ボルト８０９を脚の一部とすることによって、机を水平に調整するのに使用されることもある。
【先行技術文献】
【特許文献】
【０００９】
【特許文献１】特開２００１−２３３００２号公報
【発明の概要】
【発明が解決しようとする課題】
【００１０】
しかし、従来のボルト位置調整装置は、工具を使用しないと、ボルトの位置を調整することができなかった。このため、従来のボルト位置調整装置は、常時、工具を保管しておかなければならないという、取扱い上の煩わしさがあった。
【００１１】
本発明は、工具を使用することなく、ボルトの位置を調整できるボルト位置調整装置を提供することにある。
【課題を解決するための手段】
【００１２】
本発明のボルト位置調整装置は、基体に一体に設けられた雌ねじに螺合するボルトと、前記ボルトに一体に設けられて、該ボルトを回転させる回転部と、前記雌ねじと前記回転部との間で、前記ボルトに螺合したロックナットと、前記ロックナットと前記回転部との間で、前記ボルトに遊嵌して、前記ボルトの軸方向に移動可能な回転操作部材と、を備え、前記回転操作部材は、前記ボルトの軸方向に移動して、前記回転部と前記ロックナットとのいずれか一方に係合する、ことを特徴とする。
【発明の効果】
【００１３】
本発明のボルト位置調整装置は、ボルトに遊嵌した回転操作部材を、ロックナット、回転部、ロックナットの順に係合させ、回転させることによって、ロックナットを緩め、ボルトの位置を調整し、ロックナットを締め付けるようになっている。このように、本発明のボルト位置調整装置は、工具を使用することなく、ボルトに遊嵌した回転操作部材によって、ボルトの位置を調整するようになっているので、従来と異なって、工具を保管しておく必要が無く、取扱い上の煩わしさが解消される。
【図面の簡単な説明】
【００１４】
【図１】本発明の実施形態に係るボルト位置調整装置の図である。（Ａ）ボルト位置調整装置の正面図である。（Ｂ）は、雌ねじをベースに形成した場合の断面図である。
【図２】回転操作部材の図である。（Ａ）は、図１（Ａ）のＡ―Ａ矢視断面図であり、ボルトの断面を省略した図である。（Ｂ）は、（Ａ）のＢ−Ｂ矢視断面図である。
【図３】図１のボルト位置調整装置のボルト位置調整操作説明用の図である。（Ａ）は、回転操作部材をロックナットに係合してロックナットを緩めるときの図である。（Ｂ）は、回転操作部材をボルト回転部に係合させてボルトを回転させるときの図である。
【図４】図３に続くボルト位置調整装置のボルト位置調整操作説明用の図である。（Ａ）は、ボルトを下降させた位置に調整した場合の図である。（Ｂ）は、ボルトを上昇させた位置に調整した場合の図である。
【図５】図１のボルト位置調整装置におけるボルトを示した図である。（Ａ）は、ボルトの図である。（Ｂ）は、ボルトの軸部によって、回転操作部材がボルト回転部とロックナットとの両方に係合するのが防止された状態を示した図である。
【図６】他の実施形態のボルト位置調整装置の図である。（Ａ）は、ボルト位置調整装置の正面図である。（Ｂ）は、回転操作部材の平面図である。
【図７】従来のボルト位置調整装置の正面図である。
【発明を実施するための形態】
【００１５】
以下、本発明の実施形態に係るボルト位置調整装置を図に基づいて説明する。図１は、本発明の実施形態に係るボルト位置調整装置の正面図である。図２は、回転操作部材の図である。
【００１６】
なお、本実施形態のボルト位置調整装置１０（図１），１１０（図６）は、ボルト６，１０６の上下方向（軸方向）の位置を調整して、キャスタ８，１０８の高さ位置を調整するのに使用されるようになっている。しかし、本実施形態のボルト位置調整装置１０，１１０は、テーブルの下部に設けられて、テーブルの脚の一部分として使用され、テーブルを水平にするのに使用されてもよい。したがって、ボルト位置調整装置１０，１１０は、キャスタ８，１０８の高さ位置を調整する場合のみに限定されるものではない。
【００１７】
図１において、基体としてのベース４には、取付けねじ９によって雌ねじとしての固定ナット５が固定されている。なお、図１（Ｂ）に示すように、ベース１０４が厚みのあるベースの場合、厚みのあるベースに固定ナット５の代わりに雌ねじ１５を形成してもよい。
【００１８】
固定ナット５には、ボルト６が螺合している。ボルト６の上端部には、回転部としてのボルト回転部１が一体に設けられている。ボルト回転部１は、正六角形に形成されている。ボルト６には、ロックナット３が螺合している。ロックナット３は、ベース４とボルト回転部１との間を移動できるようになっている。
【００１９】
また、ボルト６には、回転操作部材２が遊嵌している。回転操作部材２は、ロックナット３（ベース４）とボルト回転部１との間をボルト６の軸方向に移動できるようになっている（移動可能になっている）。回転操作部材２は、リング状の部材であり、中心にロックナット３とボルト回転部１とに選択的に係合する六角孔２ａが形成されている。六角孔２ａの内周には、回転操作部材２がボルト回転部１から抜け出て紛失されないように、抜け止め突起２ｃが六角孔２ａの中心に向けて複数突出している。回転操作部材２の外周には、ユーザが回転操作部材２の外周を指で掴んで回転操作部材２を回転させるときの滑り止めとしての役目をする複数の凹部が等間隔に形成されている。
【００２０】
以上の構成において、ボルト位置調整装置１０は、固定ナット５、ボルト６、ボルト回転部１、ロックナット３、及び回転操作部材２等を備えている。
【００２１】
図３、図４は、ボルト位置調整装置１０のボルト位置調整操作説明用の図であり、図３、図４を用いて、ボルト位置調整装置１０のボルト位置調整操作を説明する。
【００２２】
図３（Ａ）の状態において、まず、ユーザは、回転操作部材２の六角孔２ａを六角のロックナット３の外周に係合させて、ロックナット３を緩める方向に回転させる。この場合、ユーザは、回転操作部材２の外周の凹部２ｂに指を掛けて回転操作部材２を回転させるので、回転操作部材２に対して指が滑ることがなく、回転操作部材２を容易に回転させることができる。
【００２３】
図３（Ｂ）のように、ユーザは、ロックナット３が、ある程度、ベース４から離れた時点で、回転操作部材２をロックナット３から外して六角孔２ａを六角のボルト回転部１に係合させ、回転操作部材２を左右いずれかの方向に回転させる。すると、図４（Ａ），（Ｂ）に示すように、ボルト６がキャスタ８と一体に、回転操作部材２の回転方向に応じて、固定ナット５及びベース４に対して、下降、或いは上昇する。ユーザは、ボルト６を固定ナット５（ベース４）に対して所望の位置まで昇降させた時点で、回転操作部材２をボルト回転部１から外して、ロックナット３に係合して、ロックナット３を固定ナット５に近づくように回転させる。ロックナット３と固定ナット５とでベース４を挟持し時点で、回転操作部材２の回転を停止させる。
【００２４】
この結果、ボルト位置調整装置１０は、ロックナット３と固定ナット５とでベース４を挟持し、ボルト６をベース４に対して所望の位置に位置調整して固定したことになり、結果的に、キャスタ８の高さを所望の高さに調整したことになる。
【００２５】
以上、説明したボルト位置調整装置１０は、ボルト６に遊嵌した回転操作部材２を用いて、ボルト６の位置を調整するようになっているので、工具を用いることなく、しかも、工具を探す必要もなくなるので、ボルト６の位置調整を速やかに行うことができる。
【００２６】
なお、以上の動作において、回転操作部材２がボルト回転部１とロックナット３との両方に係合して、回転ができなくなるおそれがある。そこで、このようなことを防止するため、ボルト６のボルト回転部１が設けられた側（一端の側）にねじ６ｂが形成されていない、軸部６ａを形成してある。この軸部６ａの長さＬ１は、回転操作部材２の厚み（回転操作部材の軸方向長さＬ２）を超えた長さ（Ｌ１＞Ｌ２）である。したがって、図５（Ｂ）に示すように、回転操作部材２が、ボルト回転部１とロックナット３と一方に係合し、両方に係合するのを防止することができる。また、回転操作部材２の突起２ｃの一端から回転操作部材２の端面までの距離をＬ３（図２）とした場合、軸部６ａの長さＬ１は、（Ｌ１＞Ｌ３）であってもよい。
【００２７】
また、回転操作部材２がボルト回転部１に係合する部分は、ボルト回転部１の六角に合わせて六角孔２ａに形成してあるが、ボルト回転部１が六角以外の非円形に形成されている場合、その非円形の形状に合わせた孔であってもよい。さらに、固定ナット５とロックナット３は、ねじが同じ向きに形成されているが、互いに逆ねじであってもよい。
【００２８】
以上、説明したボルト位置調整装置１０は、ベース４を間にして、固定ナット５とロックナット３とを設けてあるが、ベースの片側に固定ナットとロックナットを設けてもよい。その構成のボルト位置調整装置を示したのが図６である。
【００２９】
図６において、ボルト位置調整装置１１０は、基体としてのベース１０４に固定された雌ねじとしての固定ナット１０５にボルト１０６が螺合し、そのボルト１０６にロックナット１０３が螺合している。そして、ボルト１０６の下部には、ボルト１０６と一体に回転部としてのボルト回転部１０１が設けられている。また、ボルト回転部１０１よりさらにボルト１０６の下部には、キャスタ１０８と一体のキャスタ軸１０７が設けられている。キャスタ軸１０７は、ボルト１０６に対して回転自在に設けられて、キャスタ１０８の向きを自由に変えられるようになっている。
【００３０】
また、ボルト１０６には、回転操作部材１０２が遊嵌している。回転操作部材１０２は、ロックナット１０３とボルト回転部１０１との間をボルト６の軸方向に移動できるようになっている（移動可能になっている）。回転操作部材１０２は、リング状の部材であり、中心にロックナット１０３とボルト回転部１０１とに選択的に係合する六角孔１０２ａが形成されている。六角孔１０２ａの内周には、回転操作部材１０２がボルト回転部１０１から抜け出て紛失されないように、抜け止め突起１０２ｃが六角孔１０２ａの中心に向けて複数突出している。回転操作部材１０２の外周には、ユーザが回転操作部材１０２の外周を指で掴んで回転操作部材１０２を回転させるときの滑り止めとしての役目をする複数の凹部が等間隔に形成されている。
【００３１】
以上の構成において、ボルト位置調整装置１１０は、固定ナット１０５、ボルト１０６、ボルト回転部１０１、ロックナット１０３、及び回転操作部材１０２等を備えている。
【００３２】
図６に基づいて、ボルト位置調整装置１１０のボルト位置調整操作を説明する。まず、ユーザは、回転操作部材１０２の六角孔１０２ａを六角のロックナット１０３の外周に係合させて、ロックナット１０３を緩める方向に回転させる。この場合、ユーザは、回転操作部材１０２の外周の凹部１０２ｂに指を掛けて回転操作部材１０２を回転させるので、回転操作部材１０２に対して指が滑ることがなく、回転操作部材１０２を容易に回転させることができる。
【００３３】
ユーザは、ロックナット１０３が、ある程度、固定ナット１０５から離れた時点で、回転操作部材１０２をロックナット１０３から外して六角孔１０２ａを六角のボルト回転部１０１に係合させて、回転操作部材１０２を左右いずれかの方向に回転させる。すると、ボルト１０６がキャスタ１０８と一体に、回転操作部材１０２の回転方向に応じて、固定ナット１０５及びベース１０４に対して、下降、或いは上昇する。ユーザは、ボルト１０６を固定ナット１０５に対して所望の位置まで昇降させた時点で、回転操作部材１０２をボルト回転部１０１から外して、ロックナット１０３に係合して、ロックナット１０３を固定ナット１０５に近づくように回転させる。ロックナット１０３が固定ナット１０５に当接した時点で、回転操作部材１０２の回転を停止させる。
【００３４】
この結果、ボルト位置調整装置１１０は、ロックナット１０３を固定ナット１０５に当接させることで、ボルト１０６をベース１０４に対して所望の位置に位置調整して固定したことになり、結果的に、キャスタ１０８の高さを所望の高さに調整したことになる。
【００３５】
以上、説明したボルト位置調整装置１１０は、ボルト１０６に遊嵌した回転操作部材１０２を用いて、ボルト１０６の位置を調整するようになっているので、工具を用いることなく、ボルト１０６の位置調整を容易に行うことができる。しかも、工具を探す必要もなくなるので、ボルト１０６の位置調整を速やかに行うことができる。
【００３６】
なお、以上の動作において、回転操作部材１０２がボルト回転部１０１とロックナット１０３との両方に係合して、回転ができなくなるおそれがある。そこで、このようなことを防止するため、ボルト１０６のボルト回転部１０１が設けられた側（一端の側）にねじ１０６ｂが形成されていない、軸部１０６ａを形成してある。この軸部１０６ａの長さＬ１は、回転操作部材１０２の厚み（回転操作部材の軸方向長さＬ２）を超えた長さ（Ｌ１＞Ｌ２）である。したがって、回転操作部材１０２がボルト回転部１０１とロックナット１０３との両方に係合して、回転ができなくなるのを、軸部１０６ａによって、防止することができる。
【００３７】
なお、図６の回転操作部材１０２も図２の回転操作部材２と同様に、抜け止め突起１０２ｃの一端から回転操作部材１０２の端面までの距離をＬ３（図６には不図示、図２参照）とした場合、軸部１０６ａの長さＬ１は、（Ｌ１＞Ｌ３）であってもよい。また、回転操作部材１０２がボルト回転部１０１に係合する部分は、ボルト回転部１０１の六角に合わせて六角孔１０２ａに形成してあるが、ボルト回転部１０１が六角以外の非円形に形成されている場合、その非円形の形状に合わせた孔であってもよい。さらに、固定ナット１０５とロックナット１０３は、ねじが同じ向きに形成されているが、互いに逆ねじであってもよい。
【符号の説明】
【００３８】
１，１０１：ボルト回転部（回転部）、１０，１１０：ボルト位置調整装置、２，１０２：回転操作部材、３，１０３：ロックナット、４，１４，１０４：ベース（基体）、５，１０５：固定ナット（雌ねじ）、６，１０６：ボルト、６ａ，１０６ａ：軸部、８，１０８：キャスタ、Ｌ１：軸部の長さ、Ｌ２：回転操作部材の軸方向長さ。
【図１】
2015027855.tif 000003
【図２】
2015027855.tif 000004
【図３】
2015027855.tif 000005
【図４】
2015027855.tif 000006
【図５】
2015027855.tif 000007
【図６】
2015027855.tif 000008
【図７】
2015027855.tif 000009